(57)【要約】      （修正有）【課題】旗布が強風にあおられたとしても、巻き上がったり、支柱に絡みついたりすることを低減させることができる巻き上がり防止具を提供する。【解決手段】旗布２を支柱３に取り付けるための乳輪２０が設けられた旗布２の一側辺部に係止される巻き上がり防止具本体４０を有する巻き上がり防止具であって、巻き上がり防止具本体４０は、第１挟み部材４０ａ及び第２挟み部材４０ｂからなり、乳輪２０が設けられた旗布２の一側辺部に巻き上がり防止具本体４０を係止するにあたっては、旗布２の一側辺部を第１挟み部材４０ａ，第２挟み部材４０ｂで挟み込み、第１挟み部材４０ａ，第２挟み部材４０ｂ同士をボルト６によって止着することで、旗布２の一側辺部に巻き上がり防止具本体４０を係止してなる。【選択図】図２
2015045699.tif 000002
【特許請求の範囲】
【請求項１】
旗布を支柱に取り付けるための乳輪が設けられた旗布の一側辺部に係止される巻き上がり防止具本体を有する巻き上がり防止具であって、
前記巻き上がり防止具本体は、一対の挟み部材からなり、
前記乳輪が設けられた旗布の一側辺部に前記巻き上がり防止具本体を係止するにあたっては、当該旗布の一側辺部を前記一対の挟み部材で挟み込み、該挟み部材同士を係止手段によって止着することで、当該旗布の一側辺部に前記巻き上がり防止具本体を係止してなることを特徴とする巻き上がり防止具。
【請求項２】
前記一対の挟み部材には、前記旗布の一側辺部を噛み込んで挟み込むことが可能な凹凸状の噛合部がそれぞれ設けられてなる請求項１に記載の巻き上がり防止具。
【請求項３】
前記一対の挟み部材のうち少なくとも一方の挟み部材には、ＬＥＤ等の発光手段が設けられてなる請求項１又は２に記載の巻き上がり防止具。
【発明の詳細な説明】
【技術分野】
【０００１】
本発明は、街頭での広告等に用いられるのぼり装置に取り付けられる巻き上がり防止具に関する。
【背景技術】
【０００２】
近年、商店、車販売店、不動産屋、パチンコ店等で、広告宣伝等のために、支柱に旗布を取付けたのぼり装置が多数設置されている（例えば、特許文献１）。
【先行技術文献】
【特許文献】
【０００３】
【特許文献１】特開平８−２２１０２２号公報
【発明の概要】
【発明が解決しようとする課題】
【０００４】
しかしながら、上記のぼり装置に使用される旗布は、無風あるいは微風の場合は、矩形状に広がった状態であるものの、強風にあおられると巻き上がったり、支柱に絡みついたりして、広告宣伝等の用をなさなくなるという問題があった。
【０００５】
そこで、本発明は、上記問題に鑑み、旗布が強風にあおられたとしても、巻き上がったり、支柱に絡みついたりすることを低減させることができる巻き上がり防止具を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の巻き上がり防止具は、旗布（２）を支柱（３）に取り付けるための乳輪（２０）が設けられた旗布（２）の一側辺部に係止される巻き上がり防止具本体（４０）を有する巻き上がり防止具（４）であって、
前記巻き上がり防止具本体（４０）は、一対の挟み部材（第１挟み部材４０ａ，第２挟み部材４０ｂ）からなり、
前記乳輪（２０）が設けられた旗布（２）の一側辺部に前記巻き上がり防止具本体（４０）を係止するにあたっては、当該旗布（２）の一側辺部を前記一対の挟み部材（第１挟み部材４０ａ，第２挟み部材４０ｂ）で挟み込み、該挟み部材（第１挟み部材４０ａ，第２挟み部材４０ｂ）同士を係止手段（ボルト６）によって止着することで、当該旗布（２）の一側辺部に前記巻き上がり防止具本体（４０）を係止してなることを特徴としている。
【０００８】
また、請求項２の巻き上がり防止具は、上記請求項１に記載の巻き上がり防止具において、前記一対の挟み部材（第１挟み部材４０ａ，第２挟み部材４０ｂ）には、前記旗布（２）の一側辺部を噛み込んで挟み込むことが可能な凹凸状の噛合部（４０ｃ１，４０ｃ２）がそれぞれ設けられてなることを特徴としている。
【０００９】
一方、請求項３の巻き上がり防止具は、上記請求項１又は２に記載の巻き上がり防止具において、前記一対の挟み部材（第１挟み部材４０ａ，第２挟み部材４０ｂ）のうち少なくとも一方の挟み部材（第１挟み部材４０ａ，第２挟み部材４０ｂ）には、ＬＥＤ等の発光手段（発光部材４１）が設けられてなることを特徴としている。
【発明の効果】
【００１０】
次に、本発明の効果について、図面の参照符号を付して説明する。なお、括弧内は、後述する実施形態の参照符号を付したものであるが、本発明はこれに限定されるものではない。
【００１１】
請求項１の発明によれば、旗布（２）の一側辺部を一対の挟み部材（第１挟み部材４０ａ，第２挟み部材４０ｂ）で挟み込み、該挟み部材（第１挟み部材４０ａ，第２挟み部材４０ｂ）同士を係止手段（ボルト６）によって止着することで、当該旗布（２）の一側辺部に巻き上がり防止具本体（４０）を係止している。そのため、旗布（２）が強風にあおられたとしても、巻き上がり防止具本体（４０）が旗布（２）の巻き上がりや支柱への絡みつきを防止することとなるため、旗布の巻き上がりや支柱への絡みつきを低減させることができる。
【００１２】
また、請求項２の発明によれば、一対の挟み部材（第１挟み部材４０ａ，第２挟み部材４０ｂ）には、前記旗布（２）の一側辺部を噛み込んで挟み込むことが可能な凹凸状の噛合部（４０ｃ１，４０ｃ２）がそれぞれ設けられているから、旗布（２）の一側辺部を一対の挟み部材（第１挟み部材４０ａ，第２挟み部材４０ｂ）によって挟み込む際、噛み込んで挟み込むことができるため、旗布（２）の一側辺部に巻き上がり防止具本体（４０）を強固に取付けることができる。
【００１３】
さらに、請求項３の発明によれば、一対の挟み部材（第１挟み部材４０ａ，第２挟み部材４０ｂ）のうち少なくとも一方の挟み部材（第１挟み部材４０ａ，第２挟み部材４０ｂ）には、ＬＥＤ等の発光手段（発光部材４１）が設けられているから、旗布（２）が照らされることとなる。これにより、夜間等であっても広告宣伝等を行うことができる。
【図面の簡単な説明】
【００１４】
【図１】本発明の一実施形態に係る巻き上がり防止具をのぼり装置に使用した際の正面図である。
【図２】（ａ）は、同実施形態に係るのぼり装置の一部を拡大した一部拡大正面図、（ｂ）は、（ａ）のＡ−Ａ線断面図である。
【発明を実施するための形態】
【００１５】
以下、本発明に係る巻き上がり防止具をのぼり装置に使用した際の一実施形態を、図１〜図２を参照して具体的に説明する。
【００１６】
のぼり装置１は、図１に示すように、旗布２と、支柱３と、巻き上がり防止具４とで主に構成されている。旗布２は、図１に示すように、縦長矩形状に形成され、布、プラスチックシート、紙等のシート材で形成されている。そして、その表面には、各種広告等が印刷されている。
【００１７】
このように形成される旗布２には、一側辺縁部（図示左側の縦縁部）に、ほぼ等間隔に複数個（図示では５個）の乳輪２０が、それぞれ縫製され、上縁部（図示上側の横縁部）にも複数個（図示では３個）の乳輪２０が縫製されている。この乳輪２０は、短冊状に形成された白色の布片から構成され、その長手方向両端部を重ね合わせた部分を旗布２に縫い糸で縫製している。なお、このように旗布２に縫製された乳輪２０は、それぞれ、支柱３に通して使用される。
【００１８】
支柱３は、図１及び図２に示すように、円柱状に形成された縦支柱３０と横支柱３１とで構成され、この縦支柱３０に、旗布２の一側辺縁部（図示左側の縦縁部）に縫製された複数の乳輪２０がそれぞれ通され、横支柱３１に当該旗布２の上縁部（図示上側の横縁部）に縫製された複数の乳輪２０がそれぞれ通される。これにより、縦支柱３０及び横支柱３１に旗布２が取り付けられることとなる。そして、旗布２が取り付けられた縦支柱３０は、図１に示すように支持台５の中央部に形成された図示しない孔内に差し込まれることで垂直に立設される。これにより、のぼり旗として屋外等に設置することができる。しかしながら、この構成だけでは、旗布２が強風にあおられると巻き上がったり、支柱３に絡みついたりして、広告宣伝等の用をなさなくなるため、本実施形態においては、巻き上がり防止具４が設けられている。
【００１９】
巻き上がり防止具４は、図２に示すように、巻き上がり防止具本体４０を有し、この巻き上がり防止具本体４０は、縦長で厚板状に形成される第１挟み部材４０ａと第２挟み部材４０ｂとで構成され、この第１挟み部材４０ａと第２挟み部材４０ｂは、対になっており、金属、プラスチック、木材等で形成されている。
【００２０】
このように形成される第１挟み部材４０ａと第２挟み部材４０ｂとは、図１及び図２（特に、図２（ｂ）参照）に示すように、旗布２の一側辺部（図示左側の縦辺部）に沿うように、一方の面同士を重ね合せることにより、旗布２の一側辺部（図示左側の縦辺部）を挟み込む。そして、その状態で、第１挟み部材４０ａと第２挟み部材４０ｂ同士を複数のボルト６（図示（図１）では、３個）によって止着することにより、第１挟み部材４０ａと第２挟み部材４０ｂとが重ね合わされた状態で固定されることとなる。これにより、図１に示すように、旗布２の一側辺部に巻き上がり防止具本体４０が取り付けられることとなる。なお、本実施形態おいては、第１挟み部材４０ａと第２挟み部材４０ｂ同士を複数のボルト６によって止着する例を示したが、それに限らず、例えば、クリップのような留め具を用いて第１挟み部材４０ａと第２挟み部材４０ｂ同士を止着しても良く、第１挟み部材４０ａ，第２挟み部材４０ｂを磁性体に形成し、磁力によって止着しても良い。
【００２１】
しかして、このように、旗布２の一側辺部に巻き上がり防止具本体４０を取付けるようにすれば、旗布２が強風にあおられたとしても、巻き上がり防止具本体４０が旗布２の巻き上がりや支柱３への絡みつきを防止することとなるため、旗布２の巻き上がりや支柱３への絡みつきを低減させることができる。なお、本実施形態においては、旗布２の一側辺部を全て覆うように巻き上がり防止具本体４０を取付けるようにしたが、旗布２の巻き上がりや、支柱３への絡みつきを低減できるのであれば、旗布２の一側辺部の一部だけを覆うように巻き上がり防止具本体４０を取付けるようにしても良い。また、第１挟み部材４０ａと第２挟み部材４０ｂは、厚板状でなくとも、例えば、丸形状等どのような形状であっても良い。
【００２２】
一方、第１挟み部材４０ａには、図２（ｂ）に示すように、第２挟み部材４０ｂとの重ね合わせ面に凹凸状の噛合部４０ｃ１が長手方向に沿って設けられ、第２挟み部材４０ｂには、図２（ｂ）に示すように、第１挟み部材４０ａとの重ね合わせ面に、上記噛合部４０ｃ１と嵌合可能な凹凸状の噛合部４０ｃ２が、長手方向に沿って設けられている。このように設けられた噛合部４０ｃ１，４０ｃ２は、第１挟み部材４０ａと第２挟み部材４０ｂによって旗布２の一側辺部（図示左側の縦辺部）を挟み込む際、図２（ｂ）に示すように、旗布２の一側辺部を噛み込んだ上で、嵌合する。それゆえ、旗布２の一側辺部を第１挟み部材４０ａと第２挟み部材４０ｂとによって挟み込む際、噛合部４０ｃ１，４０ｃ２を設けることによって、噛み込んで挟み込むことができるため、旗布２の一側辺部に巻き上がり防止具本体４０を強固に取付けることができる。それゆえ、旗布２が強風にあおられ、その影響で、巻き上がり防止具本体４０から旗布２が抜け出してしまうという事態を低減することができる。
【００２３】
他方、巻き上がり防止具４は、発光部材４１を有しており、この発光部材４１は、図１及び図２に示すように、第１挟み部材４０ａと第２挟み部材４０ｂにそれぞれ長手方向に沿って設けられている。より具体的に説明すると、発光部材４１は、図２（ｂ）に示すように、樹脂性の基台４１ａと、ＬＥＤ４１ｂとで構成されており、この基台４１ａは、図１及び図２（ａ）に示すように、縦長矩形状に形成され、第１挟み部材４０ａの表面（第２挟み部材４０ｂとの重ね合せ面の裏面側に位置する面）の一側辺長手方向に沿って両面テープ等によって貼着されている。そしてさらに、第２挟み部材４０ｂの表面（第１挟み部材４０ａとの重ね合せ面の裏面側に位置する面）にも、その一側辺長手方向に沿って両面テープ等によって貼着されている。このように、第１挟み部材４０ａと第２挟み部材４０ｂの一側辺長手方向に沿って貼着された基台４１ａには、図１及び図２（ａ）に示すように、等間隔置きにＬＥＤ４１ｂが埋設されている。
【００２４】
かくして、このように構成される発光部材４１は、その発光部材４１の下端部に設けられているバッテリ４２（図１参照）によって、ＬＥＤ４１ｂが駆動されることとなる。これにより、旗布２がＬＥＤ４１ｂによって照らされることとなるため、夜間等であっても広告宣伝等を行うことができる。なお、図１及び図２（ａ）に示す符号４３は、光センサで、当該光センサ４３が太陽等の光を受光しなくなった際、ＬＥＤ４１ｂが発光できるようになっている。すなわち、例えば、夜間だけＬＥＤ４１ｂを発光させたい場合に、光センサ４３を設ければ、その時間帯だけＬＥＤ４１ｂを発光させるということができる。そのため、電力消費を軽減させることができ、もって、バッテリ４２を長持ちさせることができる。
【００２５】
ところで、本実施形態においては、発光手段としてＬＥＤを例示したが、それに限らず、どのようなものを用いても良い。また、本実施形態においては、ＬＥＤを単に発光する例を示したが、それに限らず、規則的に点滅させたり、様々な色で発光させたりしても良い。このようにすれば、より効果的に広告宣伝等を行うことができる。またさらに、本実施形態においては、発光部材４１として基台４１ａを設けたが、基台４１ａを設けずＬＥＤ４１ｂを直接、第１挟み部材４０ａと第２挟み部材４０ｂに等間隔置きに埋設させるようにしても良い。そしてさらに、本実施形態においては、発光部材４１を第１挟み部材４０ａと第２挟み部材４０ｂ両方に設けるようにしたが、何れか一方に設けるだけでも良い。
【符号の説明】
【００２６】
１                    のぼり装置
２                    旗布
３                    支柱
４                    巻き上がり防止具
６                    ボルト（係止手段）
２０                  乳輪
４０                  巻き上がり防止具本体
４０ａ                第１挟み部材（挟み部材）
４０ｂ                第２挟み部材（挟み部材）
４０ｃ１，４０ｃ２    噛合部
４１                  発光部材（発光手段）
４１ａ                基台
４１ｂ                ＬＥＤ
【図１】
2015045699.tif 000003
【図２】
2015045699.tif 000004